(57)【要約】【課題】内部温度の上昇を防止できる電力変換装置を提供する。【解決手段】本発明に係る電力変換装置は、前面ケースと後面ケースとの結合によって内部空間を有するように形成される第１ハウジングと、第１ハウジングと離隔するように配置され、内部に収容空間を有する第２ハウジングと、第１ハウジングと第２ハウジングとの間に配置され、第１ハウジングと第２ハウジングとを連結する連結部と、第１ハウジングと第２ハウジングとの間に形成され、第１ハウジング及び第２ハウジングのそれぞれで発生する熱が互いに伝達されることを防止する断熱空間と、を含むことができる。これにより、相対的に高い熱を発生させる電力変換素子とリアクトルを互いに分離して収容することで、電力変換装置の温度が上昇することを防止することができる。また、貫通ホールを通してハウジングの内部に水滴などが浸透することを防止することができる。【選択図】図６
2018042457.tif 000002
【特許請求の範囲】
【請求項１】
前面ケースと後面ケースとの結合によって内部空間を有するように形成される第１ハウジングと、
前記第１ハウジングと離隔するように配置され、内部に収容空間を有する第２ハウジングと、
前記第１ハウジングと前記第２ハウジングとの間に配置され、前記第１ハウジングと前記第２ハウジングとを連結する連結部と、
前記第１ハウジングと前記第２ハウジングとの間に形成され、前記第１ハウジング及び前記第２ハウジングのそれぞれで発生する熱が互いに伝達されることを防止する断熱空間と、
を含む、電力変換装置。
【請求項２】
前記第１ハウジングの内部には、印刷回路基板及び電力変換素子が配置され、
前記第２ハウジングの内部には、リアクトルが配置される、請求項１に記載の電力変換装置。
【請求項３】
前記印刷回路基板及び前記電力変換素子と前記リアクトルを電気的に連結するための電線を含み、
前記第１ハウジング及び前記第２ハウジングのそれぞれには、前記電線が通過する第１貫通ホール及び第２貫通ホールが提供される、請求項２に記載の電力変換装置。
【請求項４】
前記第１貫通ホール及び前記第２貫通ホールは、互いに対向するように配置される、請求項３に記載の電力変換装置。
【請求項５】
前記連結部は、少なくとも一部分が折り曲げられるように形成され、前記第１貫通ホール及び前記第２貫通ホールは、前記連結部の折り曲げられた一部分の内側に配置される、請求項３に記載の電力変換装置。
【請求項６】
前記第１貫通ホール及び前記第２貫通ホールに前記電線が配置された状態で、前記第１貫通ホールと前記第２貫通ホールを封止するシール部が提供される、請求項３に記載の電力変換装置。
【請求項７】
前記電力変換素子は、前記後面ケースの内部に接触する、請求項２に記載の電力変換装置。
【請求項８】
前記後面ケースの外部には、前記電力変換素子で発生した熱を外部に放出するための放熱フィンが提供される、請求項７に記載の電力変換装置。
【請求項９】
前記連結部は、前記第１ハウジングから延長され、前記第２ハウジングの少なくとも一部分を囲むように形成される、請求項１に記載の電力変換装置。
【請求項１０】
前記第２ハウジングは、前記連結部に挿入されて装着され、
前記連結部は、前記第１ハウジングと前記第２ハウジングが一定の間隔で互いに離隔するようにする離隔部を含む、請求項９に記載の電力変換装置。
【請求項１１】
前記第２ハウジングは、胴体を形成し、少なくとも一面が開口するバスケットと、前記バスケットの開口した一面を遮蔽するバスケットカバーとを含む、請求項２に記載の電力変換装置。
【請求項１２】
胴体を形成し、内部空間を有する第１ハウジングと、
前記内部空間に収容される第１電力部品と、
前記第１電力部品と電気的に連結される第２電力部品と、
前記第１ハウジングと離隔し、前記第２電力部品を収容するための収容空間を有する第２ハウジングと、
前記第１ハウジングと前記第２ハウジングとを連結する連結部と、
前記第１ハウジングと前記第２ハウジングとの間に位置し、外部空気によって形成される断熱空間と、
を含む、電力変換装置。
【発明の詳細な説明】
【技術分野】
【０００１】
本発明は、電力変換装置に関する。
【背景技術】
【０００２】
エネルギー貯蔵システム（Ｅｎｅｒｇｙ Ｓｔｏｒａｇｅ Ｓｙｓｔｅｍ）は、発電所で発生して電力系統に供給される電力または太陽光、風力、水力などの再生エネルギーから発電される電力を、バッテリなどを含む貯蔵システムに貯蔵した後、電力が必要な時期に選択的且つ効率的に使用して、エネルギー効率を高めるシステムである。
【０００３】
エネルギー貯蔵システムを利用すれば、時間帯及び季節ごとに変動が大きい電気負荷を平準化させることができる。これにより、全般的な負荷率を向上させることができる。そして、発電単価を下げることができる。また、電力設備の増設に必要な投資費と運転費を節減することができる。また、電気料金を引き下げ、エネルギーを節約することができる。
【０００４】
このようなエネルギー貯蔵システムは、電力系統、発電装置、送配電、需用家などと連係されて設置され、周波数調整（Ｆｒｅｑｕｅｎｃｙ Ｒｅｇｕｌａｔｉｏｎ）、再生エネルギーを利用した発電機出力安定化、ピークシェービング低減（Ｐｅａｋ Ｓｈａｖｉｎｇ）、負荷平準化（Ｌｏａｄ Ｌｅｖｅｌｉｎｇ）、及び非常電源などの機能に使用されている。
【０００５】
エネルギー貯蔵システムは、貯蔵方式に応じて大きく物理的エネルギー貯蔵と化学的エネルギー貯蔵に区分される。物理的エネルギー貯蔵には、揚水発電、圧縮空気貯蔵、フライホイールなどを利用した方法があり、化学的エネルギー貯蔵には、リチウムイオンバッテリ、鉛蓄電池、Ｎａｓ電池などを利用した方法がある。
【０００６】
したがって、エネルギー貯蔵システムは、電力が必要な場合、充電された電力を放電して電力を供給する。これにより、エネルギー貯蔵システムは、電力を流動的に供給できるようにする。
【０００７】
一方、エネルギー貯蔵システムは、電気エネルギーを貯蔵できるバッテリモジュールと、外部から供給される電気エネルギーを前記バッテリモジュールに充電できるように充電に適合した電気エネルギーを変換したり、前記バッテリモジュールに貯蔵された電気エネルギーを需要先で要求される電気エネルギーに変換することができる電力変換装置（Ｐｏｗｅｒ Ｃｏｎｖｅｒｓｉｏｎ Ｄｅｖｉｃｅ）を含むことができる。
【０００８】
電力変換装置は、例えば、太陽から光を吸収して発生する直流（ＤＣ）電力形態の電気エネルギーを、需要先で要求する交流（ＡＣ）電力形態の電気エネルギーに変換することができる。そして、バッテリモジュールに貯蔵された電気エネルギーを需要先で要求する交流（ＡＣ）または直流（ＤＣ）電力形態の電気エネルギーに変換することができる。
【０００９】
即ち、前記電力変換装置は、それぞれの需要先で要求する電気エネルギーの特性を変換する機能を行うことができる。
【００１０】
そして、前記電力変換装置は、電気エネルギーの特性を変換する過程で電力変換素子などで多くの熱を放出するので、電力変換装置の熱放出は重要な問題点といえる。
【先行技術文献】
【特許文献】
【００１１】
【特許文献１】大韓民国公開特許公報第１０−２０１３−０１１６７４２号「太陽光電力変換装置」
【発明の概要】
【発明が解決しようとする課題】
【００１２】
上記従来技術によれば、電力変換装置の放熱のために、リアクトルをヒートシンクと接触させ、リアクトルとヒートシンクとの間にサーマルグリス（Ｔｈｅｒｍａｌ Ｇｒｅａｓｅ）を介入する構成が開示されるが、上記従来技術によっても十分な放熱を得ることには限界がある。
【００１３】
本発明は、熱を発生させる複数の熱源を互いに離隔させて、互いに異なる熱源によって内部温度が上昇することを防止できる電力変換装置を提供することができる。
【００１４】
本発明は、電線などが貫通できるホールを通過して水滴などのような異物が内部に浸透することを防止できる電力変換装置を提供することができる。
【００１５】
即ち、本発明は、放熱効率及び防水効果が向上できる電力変換装置を提供することができる。
【課題を解決するための手段】
【００１６】
本発明に係る電力変換装置は、第１ハウジングと第２ハウジングとを含むことができる。
【００１７】
また、前記第１ハウジングは、前面ケースと後面ケースとの結合によって内部空間を有するように形成することができる。
【００１８】
また、前記第２ハウジングは、第１ハウジングと離隔するように配置され、内部には収容空間を有することができる。
【００１９】
また、前記第１ハウジングの内部空間には、電力を変換するための回路基板及び電力変換素子を配置することができる。
【００２０】
また、前記第１ハウジングの後面ケースには、前記電力変換素子で発生する熱を外部に放出するための放熱フィンが提供される。
【００２１】
また、前記第２ハウジングの収容空間には、電力を変換するためのリアクトルを配置することができる。
【００２２】
また、前記第１ハウジングと前記第２ハウジングには、前記第１ハウジングと前記第２ハウジングのそれぞれに収容される部品を電気的に連結する電線が貫通できる第１貫通ホール及び第２貫通ホールがそれぞれ提供される。
【００２３】
また、前記第1貫通ホール及び前記第２貫通ホールのそれぞれには、前記電線が配置された状態で前記第１貫通ホール及び前記第２貫通ホールを封止するシール部が提供される。
【００２４】
また、前記第１ハウジングと前記第２ハウジングは、互いに離隔した状態で連結部によって互いに連結される。
【００２５】
また、前記第１ハウジングと前記第２ハウジングとの間には、前記第１ハウジングと前記第２ハウジングのそれぞれで発生する熱が互いに伝達されることを防止する断熱空間が提供されることを特徴とする。
【発明の効果】
【００２６】
本発明によれば、相対的に高い熱を発生させる電力変換素子とリアクトルを互いに分離して収容することで、電力変換装置の温度が上昇することを防止することができる。
【００２７】
本発明によれば、電力変換素子とリアクトルとを電気的に連結する電線が通過できる貫通ホールを通してハウジングの内部に水滴などが浸透することを防止できる電力変換装置を提供することができる。
【００２８】
本発明によれば、電力変換素子で発生する熱とリアクトルで発生する熱をそれぞれ外部に放出することで、製品の安定性が向上した電力変換装置を提供することができる。
【図面の簡単な説明】
【００２９】
【図１】本実施例に係る電力変換装置の前方斜視図である。
【図２】本実施例に係る電力変換装置の後方斜視図である。
【図３】図２のＡ−Ａ領域を切開した断面図である。
【図４】本実施例に係る電力変換装置の分解斜視図である。
【図５】本実施例に係るリアクトルハウジングの分解斜視図である。
【図６】図２のＢ−Ｂ領域を切開した断面図である。
【発明を実施するための形態】
【００３０】
以下、本発明と関連した実施例に対して図面を参照してより詳細に説明する。以下の説明で用いられる構成要素に対する接尾辞「モジュール」及び「部」は、明細書の容易な作成を考慮して付与又は混用されるものとして、それ自体が互いに区別される意味または役割を持つものではない。
【００３１】
本発明の実施例を説明するに当たって、公知機能又は構成に対する具体的な説明が本発明の要旨を不明確にする恐れがあると判断される場合、その詳細な説明を省略する。そして、後述する用語は本発明の実施例における機能を考慮して定義された用語であって、これはユーザ、運用者の意図又は慣例などによって異なり得る。よって、その定義は本明細書全般にわたる内容に基づいて下されるべきである。
【００３２】
本発明の思想を理解する当業者は、同一思想の範囲内に含まれる他の実施例を構成要素の付加、変更、削除、及び追加などによって容易に具現することができる。しかし、これもまた、本発明の思想の範囲内に含まれると言える。
【００３３】
また、添付される図面は、同一実施例にもかかわらず、発明思想が損なわない範囲内で、容易に理解できるようにするために、微細な部分の表現においては図面毎に互いに異なるように表現されたり、図面に応じて誇張して表現されていることがある。
【００３４】
図１は本実施例に係る電力変換装置の前方斜視図であり、図２は本実施例に係る電力変換装置の後方斜視図である。
【００３５】
図１及び図２を参照すれば、本実施例に係る電力変換装置１は、胴体を形成するハウジング１０を含むことができる。前記ハウジング１０の内部には、内部空間を形成することができる。前記内部空間には、前記電力変換装置１を構成する回路基板１３（図３参照）、電力変換素子１３１、１３２（図３参照）などを配置することができる。
【００３６】
前記ハウジング１０は、分離可能に形成することができる。前記ハウジング１０は、前面ケース１１と後面ケース１２（図２参照）との結合によって提供される。前記前面ケース１１は、前記ハウジング１０の前面を提供することができる。そして、前記後面ケース１２は、前記ハウジング１０の後面を提供することができる。前記前面ケース１１と前記後面ケース１２は、互いに嵌合して結合することができる。例えば、前記前面ケース１１と前記後面ケース１２は、互いに対向する方向が開口した多角形に形成することができる。
【００３７】
そして、前記前面ケース１１が前記後面ケース１２よりも大きく提供される場合、前記前面ケース１１が前記後面ケース１２をカバーして胴体を形成することができる。また、前記後面ケース１２が前記前面ケース１１よりも大きく提供される場合、前記後面ケース１２が前記前面ケース１１をカバーして胴体を形成することができる。しかし、このような思想に限定されず、本実施例では、前記前面ケース１１が前記後面ケース１２をカバーして胴体を形成するものとして説明する。
【００３８】
前記ハウジング１０の前面には、前記電力変換装置１の作動状態を示すディスプレイ部１０１が提供される。
【００３９】
詳細に、前記ディスプレイ部１０１は、前記前面ケース１１に提供される。前記前面ケース１１には、前記ディスプレイ部１０１を装着できるように挿入ホール１１１（図４参照）が提供される。前記ディスプレイ部１０１は、前記挿入ホール１１１に挿入され、締結部材によって固定される。そして、前記ディスプレイ部１０１は、前記ハウジング１０の内部に収容される回路基板などと連結されて作動することができる。前記ディスプレイ部１０１は、前記電力変換装置１の作動状態を外部に示すだけでなく、外部から作動信号の入力を受けるタッチディスプレイ（Ｔｏｕｃｈ Ｄｉｓｐｌａｙ）として提供することができる。しかし、このような思想に限定されない。
【００４０】
前記ハウジング１０の後方には、前記ハウジング１０とは別途の収容空間を有し、前記ハウジング１０と離隔するように配置されるリアクトルハウジング２０を更に含むことができる。このとき、前記ハウジング１０は前記電力変換装置１の「第１ハウジング」と呼ぶことができる。そして、前記リアクトルハウジング２０は前記電力変換装置１の「第２ハウジング」と呼ぶことができる。
【００４１】
本実施例で前記第２ハウジングにはリアクトル２３（図３参照）が収容されることで、前記リアクトルハウジング２０と呼ぶものと理解することができる。しかし、これに限定されず、前記リアクトル２３だけではなく、他の部品又は素子も前記第２ハウジングに収容することができる。前記第２ハウジングだけではなく、第３ハウジング、第４ハウジングなどをさらに追加することも可能であろう。
【００４２】
そして、各ハウジングに収容可能な部品、つまり電力を変換するために提供される多数の電力変換部品は、収容可能な各ハウジングの名称によって「第１電力部品」、「第２電力部品」などと呼ぶことができる。
【００４３】
例えば、前記第１ハウジングに収容される部品は、第１電力部品と呼ぶことができ、前記第１電力部品には、前記回路基板１３、前記電力変換素子１３１、１３２などを含むことができる。そして、前記第２ハウジングに収容される部品は、第２電力部品と呼ぶことができ、前記第２電力部品には、前記リアクトル２３を含むことができる。しかし、このような思想に限定されない。
【００４４】
前記リアクトルハウジング２０と前記ハウジング１０は、連結部３０によって互いに連結される。前記連結部３０は、前記リアクトルハウジング２０から突出して形成される。また、前記連結部３０は、前記ハウジング１０から突出して形成される。しかし、このような思想に限定されない。
【００４５】
前記ハウジング１０の後面には、前記ハウジング１０の内部空間に収容される電力変換素子１３１、１３２で発生する熱を外部に放出するための放熱フィン１２１が提供される。
【００４６】
詳細に、前記放熱フィン１２１は、前記後面ケース１２の後方に向かう方向に突出する。そして、前記放熱フィン１２１は複数個提供される。前記複数個の放熱フィン１２１は、互いに離隔するように配置することができる。前記放熱フィン１２１は、前記後面ケース１２と一体に形成することができる。
【００４７】
そして、前記ハウジング１０の内部空間に収容される電力変換素子１３１、１３２から熱を受け取って外部に放出することができる。即ち、前記放熱フィン１２１は、前記ハウジング１０の内部空間に配置される前記電力変換素子１３１、１３２と対応する位置に配置することができる。本実施例の前記放熱フィン１２１は、前記リアクトルハウジング２０を基準に両側に配置されたものとして図示された（図２及び図３参照）。
【００４８】
前記ハウジング１０の後面には、前記ハウジング１０を壁、支持台などのような固定構造に固定するための固定部４１、４２が提供される。
【００４９】
詳細に、前記ハウジング１０は、前記固定部４１、４２によって壁、支持台などのような固定構造に固定することができる。前記固定部４１、４２は、上部固定部４１と下部固定部４２を含むことができる。前記固定部４１、４２は、前記後面ケース１２に固定され、前記固定部４１、４２が壁、支持台などのような固定構造に固定されることで、前記ハウジング１０が壁、支持台などのような固定構造に支持される。
【００５０】
前記上部固定部４１は、前記後面ケース１２の上部に配置することができる。そして、前記上部固定部４１は、前記放熱フィン１２１に連結される。前記上部固定部４１は、前記放熱フィン１２１に連結されて前記後面ケース１２の後面に結合される。前記上部固定部４１が壁、支持台などのような固定構造にかけられれば、前記後面ケース１２が固定される。しかし、このような思想に限定されず、前記上部固定部４１は、締結部材によって壁、支持台などのような固定構造に締結されることも可能である。
【００５１】
前記下部固定部４２は、前記後面ケース１２の下部に配置することができる。そして、前記下部固定部４２は、前記上部固定部４１と同一線上に配置することができる。即ち、前記下部固定部４２は、前記後面ケース１２と離隔するように配置することができる。このとき、前記下部固定部４２と前記後面ケース１２とを連結する支持部１２３が提供される。前記支持部１２３と前記下部固定部４２は、互いに連結される。そして、前記下部固定部４２は、前記壁、支持台などのような固定構造に締結部材によって固定することができる。
【００５２】
前記支持部１２３は、前記後面ケース１２から後方に突出して提供される。そして、前記支持部１２３は、前記下部固定部４２と連結される。つまり、前記後面ケース１２から後方に突出した前記支持部１２３に前記下部固定部４２が連結されることで、前記下部固定部４２は前記上部固定部４１と同一線上に配置することができる。このような構成によって、前記ハウジング１０が壁、支持台などのような固定構造に固定されても傾くことなく、平行な方向に支持される。
【００５３】
図３は図２のＡ−Ａ領域を切開した断面図である。
【００５４】
図３を参照すれば、本実施例に係るハウジング１０の内部には、回路基板１３及び電力変換素子１３１、１３２を配置することができる。前記回路基板１３と前記電力変換素子１３１、１３２は、互いに電気的に連結される。
【００５５】
前記回路基板１３は、印刷回路基板（Ｐｒｉｎｔｅｄ Ｃｉｒｃｕｉｔ Ｂｏａｒｄ）として提供することができる。前記回路基板１３には、多数の素子を実装することができる。そして、前記回路基板１３には前記電力変換素子１３１、１３２が連結される。
【００５６】
前記電力変換素子１３１、１３２は、例えば、ＩＧＢＴとして提供することができる。前記電力変換素子１３１、１３２は、前記電力変換装置１で電力を変換するための核心部品として、電力を変換する過程で高温の熱を放出することができる。
【００５７】
したがって、前記電力変換素子１３１、１３２で発生する熱を外部に発散するために、前記後面ケース１２には放熱フィン１２１が提供される。そして、前記電力変換素子１３１、１３２は、前記後面ケース１２に直接的に連結される。
【００５８】
即ち、前記電力変換素子１３１、１３２は、前記後面ケース１２に直接的に接触して熱を放出し、放出された熱は、前記電力変換素子１３１、１３２が配置される位置に提供される放熱フィン１２１に伝達されて、外部に伝達される。
【００５９】
このとき、前記電力変換素子１３１、１３２が提供される前記後面ケース１２と前記放熱フィン１２１は、熱伝導率の高い材質として提供することができる。例えば、前記後面ケース１２と前記放熱フィン１２１を一つのヒートシンク（Ｈｅａｔ ｓｉｎｋ）として理解することができる。しかし、このような思想に限定されない。
【００６０】
本実施例に係るリアクトルハウジング２０の内部には、リアクトル２３を配置することができる。前記リアクトル２３は、外部から印加される電力を安定化させたり、前記電力変換素子１３１、１３２で変換された電力を安定化させる機能を行うことができる。前記リアクトル２３は、前記リアクトル２３に印加される電力を安定化するために高温の熱を発生させる。したがって、前記リアクトル２３は、前記電力変換素子１３１、１３２のように前記電力変換装置１で高温の熱を発生させる熱源として作動することができる。
【００６１】
前記リアクトル２３で発生した熱は、前記リアクトルハウジング２０に伝達され、前記リアクトルハウジング２０に伝達された熱は、外部に放出することができる。また、前記リアクトルハウジング２０の内部には、前記リアクトル２３で発生する熱をより効率的に外部に放出させるために、前記リアクトルハウジング２０の内部には熱伝導率に優れるか、放熱性能に優れた物質が満たされる。
【００６２】
例えば、前記リアクトルハウジング２０の内部には、前記放熱性能に優れた物質または熱伝導率に優れた物質で形成される液状の物質が入れられた後、前記液状の物質が凝固するようにすることができる。つまり、前記リアクトルハウジング２０の内部には、放熱のための物質が封入される。
【００６３】
このような構造によれば、前記リアクトル２３で発生する熱は、より効率的に前記リアクトルハウジング２０に伝達され、前記リアクトルハウジング２０に伝達された熱は、外部に放出することができる。
【００６４】
図４は本実施例に係る電力変換装置の分解斜視図であり、図５は本実施例に係るリアクトルハウジングの分解斜視図である。
【００６５】
図４及び図５を参照すれば、本実施例に係る電力変換装置１は、前面ケース１１と後面ケース１２との結合によって形成されるハウジング１０を含むことができる。そして、前記電力変換装置１は、バスケット２１とバスケットカバー２２との結合によって形成されるリアクトルハウジング２０を含むことができる。前記ハウジング１０と前記リアクトルハウジング２０は、連結部３０によって互いに連結される。
【００６６】
前記ハウジング１０の内部には、回路基板１３を配置することができる。そして、前記回路基板１３には、電力変換素子１３１、１３２を実装することができる。そして、前記電力変換素子１３１、１３２と前記回路基板１３は、互いに電気的に連結される。前記回路基板１３は、前記前面ケース１１または前記後面ケース１２に固定することができる。本実施例では、前記回路基板１３が前記後面ケース１２に固定されるものとして説明する。
【００６７】
前記リアクトルハウジング２０の内部には、リアクトル２３を配置することができる。そして、前記リアクトル２３は、前記バスケット２１または前記バスケットカバー２２に固定することができる。本実施例で前記リアクトル２３は、前記バスケット２１に固定されるものとして説明する。
【００６８】
詳細に、前記リアクトルハウジング２０は、リアクトル２３を収容することができる。そして、前記リアクトルハウジング２０は、前記後面ケース１２と離隔して配置することができる。そして、前記リアクトルハウジング２０は、胴体を形成するバスケット２１と、前記バスケット２１を遮蔽するバスケットカバー２２を含むことができる。前記リアクトル２３は、前記バスケット２１の内部に収容された状態で、前記バスケットカバー２２によってカバーされる。
【００６９】
前記バスケットカバー２２は、前記バスケット２１の開口した一面を遮蔽することができる。また、前記バスケットカバー２２は、前記バスケット２１の一側に連結されて回動するドア方式として提供することができる。しかし、このような思想に限定されない。
【００７０】
前記回路基板１３及び前記電力変換素子１３１、１３２と前記リアクトル２３は、互いに電気的に連結される。このために、前記リアクトル２３と前記回路基板１３は、電線２４によって互いに連結される。前記電線２４は、前記ハウジング１０と前記リアクトルハウジング２０を貫通して連結される。
【００７１】
即ち、前記ハウジング１０と前記リアクトルハウジング２０には、前記電線２４が貫通して通過できる第１貫通ホール１２５と第２貫通ホール２１１をそれぞれ形成することができる。前記第１貫通ホール１２５は、前記ハウジング１０に提供される。そして、前記第２貫通ホール２１１は、前記リアクトルハウジング２０に提供される。
【００７２】
前記第１貫通ホール１２５と前記第２貫通ホール２１１は、互いに対向する方向に提供される。そして、前記第１貫通ホール１２５と前記第２貫通ホール２１１は、円形、多角形などの多様な形状に形成することができるが、本実施例では多角形として提供されるものとして図示された。
【００７３】
前記後面ケース１２には、前記連結部３０が提供される。そして、前記連結部３０には前記リアクトルハウジング２０が固定される。
【００７４】
詳細に、前記連結部３０は、前記後面ケース１２の後面から後方に向かう方向に突出するように形成することができる。そして、前記連結部３０は、前記リアクトルハウジング２０の少なくとも一部分を囲むように形成することができる。また、前記連結部３０は前記後面ケース１２と前記リアクトルハウジング２０が一定の間隔で離隔するように配置させることができる。
【００７５】
例えば、前記連結部３０は多角形に形成された前記リアクトルハウジング２０の角部分を囲むように形成することができる。そして、前記連結部３０には、前記リアクトルハウジング２０と前記後面ケース１２が一定の間隔で離隔するようにする離隔部３０１が提供される。
【００７６】
即ち、前記リアクトルハウジング２０は、前記連結部３０によって角が囲まれた状態で、前記連結部３０に挿入される。そして、前記リアクトルハウジング２０が前記連結部３０に挿入されれば、前記リアクトルハウジング２０の一面が前記離隔部３０１に接触する。前記リアクトルハウジング２０の一面が前記離隔部３０１に接触すれば、前記後面ケース１２と前記リアクトルハウジング２０は、離隔部３０１によって離隔した状態で前記連結部３０に固定される。
【００７７】
一方、前記連結部３０は、前記リアクトルハウジング２０を囲むように提供されず、前記ハウジング１０と前記リアクトルハウジング２０とを連結するパイプ（Ｐｉｐｅ）形状として提供することができる。このような場合、前記ハウジング１０と前記リアクトルハウジング２０に提供される前記第１貫通ホール１２５及び前記第２貫通ホール２１１は、前記連結部３０上に提供される。また、前記連結部３０は、前記ハウジング１０と前記リアクトルハウジング２０に溶接などによって固定結合することができる。
【００７８】
このような思想に限定されないが、本実施例で前記連結部３０は、前記リアクトルハウジング２０を囲むように提供されることで、前記リアクトルハウジング２０が前記連結部３０から分離できるように提供される。
【００７９】
図６は図２のＢ−Ｂ領域を切開した断面図である。
【００８０】
図６を参照すれば、前記ハウジング１０の内部に配置される前記回路基板１３及び前記電力変換素子１３１、１３２と前記リアクトルハウジング２０の内部に配置される前記リアクトル２３は、前記電線２４によって互いに電気的に連結される。そして、前記ハウジング１０には、前記電線２４が通過できる第１貫通ホール１２５を形成することができる。また、前記リアクトルハウジング２０には、前記電線２４が通過できる第２貫通ホール２１１を形成することができる。
【００８１】
前記第１貫通ホール１２５と前記第２貫通ホール２１１には、前記電線２４が配置された状態で、前記第１貫通ホール１２５及び前記第２貫通ホール２１１に水滴などが浸透することを防止するためのシール部を含むことができる。前記シール部は、前記電線２４と前記第１貫通ホール１２５との間の空間に提供される。そして、前記シール部は前記電線２４と前記第２貫通ホール２１１との間の空間に提供される。前記シール部は、例えば、ゴム材質、シリコンなどのような防水機能を有する材質として提供することができる。
【００８２】
一方、本実施例で前記第１貫通ホール１２５及び前記第２貫通ホール２１１の位置は、前記リアクトルハウジング２０のほぼ中心部に当たる位置に形成されたものとして図示されている。これは前記第１貫通ホール１２５及び前記第２貫通ホール２１１を連結する前記電線２４の長さを最短距離として提供するためである。
【００８３】
これと異なり、第１貫通ホール１２５及び前記第２貫通ホール２１１は、前記連結部３０に隣接するように配置することができる。詳細に、前記第１貫通ホール１２５及び前記第２貫通ホール２１１は、前記リアクトルハウジング２０を囲むために一部分が折り曲げられた前記連結部３０の内側に配置することができる。前記第１貫通ホール１２５及び前記第２貫通ホール２１１が前記連結部３０の内側に配置される場合、前記電力変換装置１の上部から下部に向かう方向に落ちる水滴などが前記連結部３０によって前記第１貫通ホール１２５及び前記第２貫通ホール２１１に浸透することを防止することができる。
【００８４】
即ち、前記連結部３０が前記第１貫通ホール１２５及び前記第２貫通ホール２１１の上方で水滴などの浸透を防止する屋根の役割をすることができる。
【００８５】
前記ハウジング１０と前記リアクトルハウジング２０が前記連結部３０によって固定されれば、前記ハウジング１０と前記リアクトルハウジング２０は、前記離隔部３０１によって一定の間隔で離隔する。このとき、前記ハウジング１０と前記リアクトルハウジング２０との間に形成される空間を断熱空間Ｓと呼ぶことができる。
【００８６】
前記断熱空間Ｓは、前記ハウジング１０と前記リアクトルハウジング２０との間に配置される空間として、空気を配置することができる。前記ハウジング１０と前記リアクトルハウジング２０との間の空気によって、前記リアクトルハウジング２０で発生する熱は、前記ハウジング１０に伝達されることを防止することができる。また、前記ハウジング１０で発生する熱は、前記リアクトルハウジング２０に伝達されることを防止することができる。
【００８７】
即ち、前記ハウジング１０と前記リアクトルハウジング２０との間に断熱空間Ｓを形成することで、前記ハウジング１０と前記リアクトルハウジング２０の温度上昇を抑制することができる。
【図１】
2018042457.tif 000003
【図２】
2018042457.tif 000004
【図３】
2018042457.tif 000005
【図４】
2018042457.tif 000006
【図５】
2018042457.tif 000007
【図６】
2018042457.tif 000008